(57)【特許請求の範囲】
【請求項１】
画像送信手段から無線通信によって送信される画像をそれぞれ受信して表示する複数の表示装置を組み合わせたマルチディスプレイ装置であって、
前記複数の表示装置のそれぞれは、
表示手段、
前記画像送信手段から無線通信によって送信される無線通信画像を受信する画像受信手段、
前記画像受信手段による受信状態が正常状態か異常状態かを判定する判定手段、
前記受信状態が正常状態のとき前記無線通信画像を前記表示手段に表示し、前記受信状態が正常状態から異常状態に変化したと判定されたとき前記無線通信画像を前記表示手段に表示しないようにする第１制御手段、および
前記受信状態が正常状態から異常状態に変化したと判定されたとき他の全ての表示装置が前記無線通信画像を表示手段に表示しないようにする第２制御手段を備える、マルチディスプレイ装置。
【請求項２】
前記第１制御手段は、前記受信状態が異常状態から正常状態に変化したと判定されたとき、前記無線通信画像を前記表示手段に表示するようにし、
前記第２制御手段は、前記受信状態が異常状態から正常状態に変化したと判定されたとき、他の全ての表示装置が前記無線通信画像を表示手段に表示するようにする、請求項１記載のマルチディスプレイ装置。
【請求項３】
前記第２制御手段は、前記受信状態が正常状態から異常状態に変化したと判定されたとき、他の表示装置に障害回避信号を送信する障害回避信号送信手段を含み、前記障害回避信号を受信したとき前記表示手段に前記無線通信画像を表示しないようにする、請求項１または２記載のマルチディスプレイ装置。
【請求項４】
前記第２制御手段は、前記受信状態が異常状態から正常状態に変化したと判定されたとき、他の表示装置に復旧信号を送信する復旧信号送信手段を含み、前記復旧信号を受信したとき前記表示手段に前記無線通信画像を表示するようにする、請求項３記載のマルチディスプレイ装置。
【請求項５】
前記第１制御手段は、他の表示装置の前記第２制御手段によって、前記無線通信画像を表示手段に表示するようにされていてかつ前記判定手段によって前記受信状態が異常状態であると判定されているとき、前記無線通信画像を前記表示手段に表示しないようにし、
前記第２制御手段は、他の表示装置の前記第２制御手段によって、前記無線通信画像を表示手段に表示するようにされていてかつ前記判定手段によって前記受信状態が異常状態であると判定されているとき、他の全ての表示装置が画像受信手段で受信した画像を表示手段に表示しないようにする、請求項２記載のマルチディスプレイ装置。
【請求項６】
前記第１制御手段は、前記受信状態が正常状態から異常状態に変化したと判定されたとき、前記無線通信画像とは別の画像を前記表示手段に表示するようにし、
前記第２制御手段は、前記受信状態が正常状態から異常状態に変化したと判定されたとき、他の全ての表示装置が前記無線通信画像とは別の画像を表示手段に表示するようにする、請求項１ないし３のいずれかに記載のマルチディスプレイ装置。
【請求項７】
前記複数の表示装置のそれぞれは、前記無線通信画像とは別の画像を予め記憶している記憶手段をさらに備える、請求項４記載のマルチディスプレイ装置。
【請求項８】
前記第１制御手段は、前記受信状態が正常状態から異常状態に変化したと判定されたとき、前記表示手段に画像を表示しないようにし、
前記第２制御手段は、前記受信状態が正常状態から異常状態に変化したと判定されたとき、他の全ての表示装置の表示手段に画像を表示しないようにする、請求項１記載のマルチディスプレイ装置。
【請求項９】
画像送信手段から無線通信によって送信される画像をそれぞれ受信して表示手段に表示する複数の表示装置を組み合わせたマルチディスプレイ装置で実行される表示制御プログラムであって、
前記表示装置のそれぞれのコンピュータを、
前記画像送信手段から無線通信によって送信される無線通信画像を受信する画像受信手段、
前記画像受信手段による受信状態が正常状態か異常状態かを判定する判定手段、
前記受信状態が正常状態のとき前記無線通信画像を前記表示手段に表示し、前記受信状態が正常状態から異常状態に変化したと判定されたとき前記無線通信画像を前記表示手段に表示しないようにする第１制御手段、および
前記受信状態が正常状態から異常状態に変化したと判定されたとき他の全ての表示装置が画像受信手段で受信した画像を表示手段に表示しないようにする第２制御手段として機能させる、表示制御プログラム。
【請求項１０】
画像送信手段から無線通信によって送信される画像をそれぞれ受信して表示手段に表示する複数の表示装置を組み合わせたマルチディスプレイ装置で実行される表示制御方法であって、
前記表示装置のそれぞれのコンピュータは、
（ａ）前記画像送信手段から無線通信によって送信される無線通信画像を受信し、
（ｂ）（ａ）による受信状態が正常状態か異常状態かを判定し、
（ｃ）前記受信状態が正常状態のとき前記無線通信画像を前記表示手段に表示し、前記受信状態が正常状態から異常状態に変化したと判定されたとき前記無線通信画像を前記表示手段に表示しないようにし、そして
（ｄ）前記受信状態が正常状態から異常状態に変化したと判定されたとき他の全ての表示装置が画像受信手段で受信した画像を表示手段に表示しないようにする、表示制御方法。
【発明の詳細な説明】
【技術分野】
【０００１】
この発明は、マルチディスプレイ装置、表示制御プログラムおよび表示制御方法に関し、特にたとえば、無線通信によって送信される画像をそれぞれ受信して表示する複数の表示装置を組み合わせた、マルチディスプレイ装置、表示制御プログラムおよび表示制御方法に関する。
【背景技術】
【０００２】
この種の背景技術のマルチディスプレイ装置の一例が特許文献１に開示される。この特許文献１に開示されるマルチディスプレイ装置は、カメラから無線通信によって送信される画像を表示する複数の表示装置（テレビジョン受像機）を備える。また、複数の表示装置は、集合して１つの画面の如く設けられており、受信した画像データを全ての表示装置に亘って全画面表示する。
【先行技術文献】
【特許文献】
【０００３】
【特許文献１】特許第４６１８３１９号
【発明の概要】
【発明が解決しようとする課題】
【０００４】
特許文献１に開示されるマルチディスプレイ装置では、無線通信によって画像データを送受信するので、無線通信の電波状態が悪い場合などに、画像データの送受信が停止することがある。その場合、受信側の表示装置において動画のフレーム落ちが発生したりするなど、表示品質が低下してしまう。
【０００５】
そして、複数の表示装置のうち、一部の表示装置のみにおいて表示品質が低下した場合、表示品質が低下していない表示装置と、表示品質が低下している表示装置とがマルチディスプレイ装置の中で混在するため、視聴者に違和感を与えるという問題がある。
【０００６】
それゆえに、この発明の主たる目的は、新規な、マルチディスプレイ装置、表示制御プログラムおよび表示制御方法を提供することである。
【０００７】
この発明の他の目的は、無線通信での画像データの送受信が停止した場合でも、視聴者に違和感を与えることを防止できる、マルチディスプレイ装置、表示制御プログラムおよび表示制御方法を提供することである。
【課題を解決するための手段】
【０００８】
第１の発明は、画像送信手段から無線通信によって送信される画像をそれぞれ受信して表示手段に表示する複数の表示装置を組み合わせたマルチディスプレイ装置である。複数の表示装置のそれぞれは、画像受信手段、判定手段、第１制御手段および第２制御手段を備える。画像受信手段は、画像送信手段から無線通信によって送信される無線通信画像を受信する。そして、表示装置の表示手段は、無線通信画像を表示する。この表示手段は、具体的には、ＬＣＤまたはＥＬディスプレイなどである。判定手段は、画像受信手段による受信状態が正常状態か異常状態かを判定する。この判定手段は、画像受信手段で受信した画像のたとえば１フレームごとの受信状態を取得して、取得した受信状態に基づいて正常状態か異常状態かを判定する。第１制御手段は、受信状態が正常状態のとき無線通信画像を表示手段に表示し、受信状態が正常状態から異常状態に変化したと判定されたとき無線通信画像を表示手段に表示しないようにする。第２制御手段は、受信状態が正常状態から異常状態に変化したと判定されたとき他の全ての表示装置が画像受信手段で受信した画像を表示手段に表示しないようにする。
【０００９】
第１の発明によれば、判定手段によって受信状態が正常状態から異常状態に変化したと判定されたとき、無線通信画像を表示手段に表示しないようにするとともに、他の全ての表示装置が画像受信手段で受信した画像を表示手段に表示しないようにする。このようにすれば、表示品質が低下していない表示装置と、表示品質が低下している表示装置とがマルチディスプレイ装置の中で混在することがない。したがって、画像データの送受信が停止した場合でも、視聴者に違和感を与えることを防止できる。
【００１０】
第２の発明は、第１の発明に従属するマルチディスプレイ装置であって、第１制御手段は、受信状態が異常状態から正常状態に変化したと判定されたとき、無線通信画像を表示手段に表示させる。第２制御手段は、受信状態が異常状態から正常状態に変化したと判定されたとき、他の全ての表示装置が画像受信手段で受信した画像を表示手段に表示させるようにする。
【００１１】
第２の発明よれば、判定手段によって受信状態が正常状態から異常状態に変化したと判定されたとき、つまり、画像データの送受信が復旧した場合、全ての表示装置において無線通信画像を表示することができ、視聴者に違和感を与えることがない。
【００１２】
第３の発明は、第１または第２の発明に従属するマルチディスプレイ装置であって、第２制御手段は、受信状態が正常状態から異常状態に変化したと判定されたとき、他の表示装置に障害回避信号を送信する障害回避信号送信手段を含み、障害回避信号を受信したとき表示手段に画像受信手段で受信した画像を表示しないようにする。
【００１３】
第３の発明によれば、他の表示装置が画像受信手段で受信した画像を表示手段に表示しないようにするとき、障害回避信号（コマンド）を他の表示装置に送るだけで済み、通信データ量を小さくすることができる。
【００１４】
第４の発明は、第３の発明に従属するマルチディスプレイ装置であって、第２制御手段は、受信状態が異常状態から正常状態に変化したと判定されたとき、他の表示装置に復旧信号を送信する復旧信号送信手段を含み、復旧信号を受信したとき表示手段に無線通信画像を表示するようにする。
【００１５】
第４の発明によれば、他の表示装置が画像受信手段で受信した画像を表示手段に表示するようにするとき、復旧信号を他の表示装置に送るだけで済み、通信データ量を小さくすることができる。
【００１６】
第５の発明は、第２の発明に従属するマルチディスプレイ装置であって、第１制御手段は、他の表示装置の第２制御手段によって、無線通信画像を表示手段に表示するようにされていてかつ判定手段によって受信状態が異常状態であると判定されているとき、無線通信画像を表示手段に表示しないようにし、第２制御手段は、他の表示装置の第２制御手段によって、無線通信画像を表示手段に表示するようにされていてかつ判定手段によって受信状態が異常状態であると判定されているとき、他の全ての表示装置が画像受信手段で受信した画像を表示手段に表示しないようにする。
【００１７】
第５の発明によれば、他の表示装置によって、無線通信画像を表示手段に表示するようにされる場合であっても、判定手段によって受信状態が異常状態であると判定されているときに、無線通信画像を表示しないようにする。このようにすれば、表示品質が低下していない表示装置と、表示品質が低下している表示装置とがマルチディスプレイ装置の中で混在することがない。したがって、画像データの送受信が停止した場合でも、視聴者に違和感を与えることを防止できる。
【００１８】
第６の発明は、第１ないし第３のいずれかの発明に従属するマルチディスプレイ装置であって、第１制御手段は、受信状態が正常状態から異常状態に変化したと判定されたとき、無線通信画像とは別の画像を表示手段に表示するようにし、第２制御手段は、受信状態が正常状態から異常状態に変化したと判定されたとき、他の全ての表示装置が無線通信画像とは別の画像を表示手段に表示するようにする。
【００１９】
第６の発明によれば、受信状態が正常状態から異常状態に変化したと判定されたとき、無線通信画像とは別の画像を表示手段に表示するようにし、他の表示装置が無線通信画像とは別の画像を表示手段に表示するようにする。このようにすれば、画像データの送受信が停止した場合でも、無線通信画像とは別の画像を表示することができ、視聴者に違和感を与えることを防止できる。
【００２０】
第７の発明は、第４の発明に従属するマルチディスプレイ装置であって、複数の表示装置のそれぞれは、無線通信画像とは別の画像を予め記憶している記憶手段をさらに備える。
【００２１】
第７の発明によれば、複数の表示装置のそれぞれが無線通信画像とは別の画像を予め記憶している記憶手段をさらに備えるので、他の表示装置が無線通信画像とは別の画像を表示手段に表示する場合、無線通信画像とは別の画像を表示させるための信号を他の表示装置に送るだけで済み、通信データ量を小さくすることができる。
【００２２】
第８の発明は、第１の発明に従属するマルチディスプレイ装置であって、第１制御手段は、受信状態が正常状態から異常状態に変化したと判定されたとき、表示手段に画像を表示しないようにし、第２制御手段は、受信状態が正常状態から異常状態に変化したと判定されたとき、他の全ての表示装置の表示手段に画像を表示しないようにする。
【００２３】
第８の発明によれば、受信状態が正常状態から異常状態に変化したと判定されたとき、表示手段に画像を表示しないようにし、他の表示装置の表示手段に画像を表示しないようにする。このようにすれば、表示品質が低下していない表示装置と、表示品質が低下している表示装置とがマルチディスプレイ装置の中で混在することがない。したがって、画像データの送受信が停止した場合でも、視聴者に違和感を与えることを防止できる。また、画像を表示しないので、いわゆる省電力モードを設定することができる。
【００２４】
第９の発明は、画像送信手段から無線通信によって送信される画像をそれぞれ受信して表示手段に表示する複数の表示装置を組み合わせたマルチディスプレイ装置で実行される表示制御プログラムであって、表示装置のそれぞれのコンピュータを、画像送信手段から無線通信によって送信される無線通信画像を受信する画像受信手段、画像受信手段による受信状態が正常状態か異常状態かを判定する判定手段、受信状態が正常状態のとき無線通信画像を表示手段に表示し、受信状態が正常状態から異常状態に変化したと判定されたとき無線通信画像を表示手段に表示しないようにする第１制御手段、および受信状態が正常状態から異常状態に変化したと判定されたとき他の全ての表示装置が画像受信手段で受信した画像を表示手段に表示しないようにする第２制御手段として機能させる。
【００２５】
第１０の発明は、画像送信手段から無線通信によって送信される画像をそれぞれ受信して表示手段に表示する複数の表示装置を組み合わせたマルチディスプレイ装置で実行される表示制御方法であって、表示装置のそれぞれのコンピュータは、（ａ）画像送信手段から無線通信によって送信される無線通信画像を受信し、（ｂ）（ａ）による受信状態が正常状態か異常状態かを判定し、（ｃ）受信状態が正常状態のとき無線通信画像を表示手段に表示し、受信状態が正常状態から異常状態に変化したと判定されたとき無線通信画像を表示手段に表示しないようにし、そして（ｄ）受信状態が正常状態から異常状態に変化したと判定されたとき他の全ての表示装置が画像受信手段で受信した画像を表示手段に表示しないようにする。
【００２６】
第９および第１０の各発明によっても、第１の発明と同様に、画像データの送受信が停止した場合でも、視聴者に違和感を与えることを防止できる。
【発明の効果】
【００２７】
この発明によれば、無線通信での画像データの送受信が停止した場合でも、視聴者に違和感を与えることを防止できる。
【図面の簡単な説明】
【００２８】
【図１】図１は第１実施例のマルチディスプレイ装置の概略構成の一例を示す図解図である。
【図２】図２は図１に示すサーバの電気的な構成の一例を示すブロック図である。
【図３】図３は図１に示す表示装置の電気的な構成の一例を示すブロック図である。
【図４】図４（Ａ）はある表示装置での受信状態が正常状態から異常状態に変化したときのマルチディスプレイ装置の状態を示す図解図であり、図４（Ｂ）は代替画像を表示した場合のマルチディスプレイ装置の状態を示す図解図である。
【図５】図５（Ａ）は表示装置での受信状態が異常状態から正常状態に変化したときのマルチディスプレイ装置の状態を示す図解図であり、図５（Ｂ）は無線通信画像を表示した場合のマルチディスプレイ装置の状態を示す図解図である。
【図６】図６（Ａ）は無線通信画像を表示した場合のマルチディスプレイ装置の状態を示す図解図であり、図６（Ｂ）はある表示装置での受信状態が正常状態から異常状態に変化したときのマルチディスプレイ装置の状態を示す図解図であり、図６（Ｃ）は代替画像を表示した場合のマルチディスプレイ装置の状態を示す図解図である。
【図７】図７は図３に示すＲＡＭのメモリマップの一例を示す図解図である。
【図８】図８は図３に示すＣＰＵの全体処理の一例を示すフロー図である。
【図９】図９は図３に示すＣＰＵの障害回避処理の一例を示すフロー図である。
【図１０】図１０は図３に示すＣＰＵの復旧処理の一例を示すフロー図である。
【図１１】図１１は図３に示すＣＰＵの第１受信処理の一例を示すフロー図である。
【図１２】図１２は図３に示すＣＰＵの第２受信処理の一例を示すフロー図である。
【図１３】図１３（Ａ）は第２実施例においてある表示装置での受信状態が正常状態から異常状態に変化したときのマルチディスプレイ装置の状態を示す図解図であり、図１３（Ｂ）は省電力モードに遷移した場合のマルチディスプレイ装置の状態を示す図解図である。
【図１４】図１４は第２実施例におけるＣＰＵの障害回避処理の一例を示すフロー図である。
【図１５】図１５は第２実施例におけるＣＰＵの復旧処理の一例を示すフロー図である。
【図１６】図１６は第２実施例におけるＣＰＵの第１受信処理の一例を示すフロー図である。
【図１７】図１７は第２実施例におけるＣＰＵの第２受信処理の一例を示すフロー図である。
【図１８】図１８（Ａ）は第３実施例において２台の表示装置での受信状態が正常状態から異常状態に変化したときのマルチディスプレイ装置の状態を示す図解図であり、図１８（Ｂ）は代替画像を表示した場合のマルチディスプレイ装置の状態を示す図解図である。
【図１９】図１９（Ａ）は一方の表示装置での受信状態が異常状態から正常状態に変化したときのマルチディスプレイ装置の状態を示す図解図である。図１９（Ｂ）は他方の表示装置での受信状態が異常状態から正常状態に変化したときのマルチディスプレイ装置の状態を示す図解図であり、図１９（Ｃ）は無線通信画像を表示した場合のマルチディスプレイ装置の状態を示す図解図である。
【図２０】図２０は第３実施例におけるＣＰＵの第２受信処理の一例を示すフロー図である。
【発明を実施するための形態】
【００２９】
［第１実施例］
図１を参照して、この発明の第１実施例であるマルチディスプレイ装置１０は、送信機（サーバ）１２および複数の表示装置１４を含み、このサーバ１２と複数の表示装置１４とは、第１ネットワーク１６を介して通信可能である。図１に示す例では、第１表示装置１４ａ、第２表示装置１４ｂ、…、第ｍ表示装置１４ｍが、たとえばＬＡＮのような第１ネットワーク１６に接続される。また、第１〜第ｍ表示装置１４ａ〜１４ｍは、それぞれ互いに、たとえばＬＡＮのような第２ネットワーク１８を介して通信可能である。
【００３０】
第１ネットワーク１６の通信手段としては、電波または赤外線等による無線通信が用いられる。
【００３１】
第２ネットワーク１８の通信手段としては、特定のものに限定されない。たとえば、電波または赤外線等による無線通信を用いてもよいし、有線ＬＡＮ、ＲＳ−２３２Ｃ、ＵＳＢ、ＤＤＣ／ＣＩ(Display Data Channel Command Interface)、ＨＤＭＩ−ＣＥＣ(High Definition Multimedia Interface Consumer Electronics Control)などによる有線通信を用いてもよい。ただし、この第１実施例では、第２ネットワーク１８を介して送受信されるのは後述のような障害回避信号あるいは復旧信号のような信号だけである。
【００３２】
以下、この明細書において、第１〜第ｍ表示装置１４ａ〜１４ｍを個別に識別する必要が無い場合には、単に「表示装置１４」と呼ぶことにする。
【００３３】
図２に示すように、サーバ１２は、ＣＰＵ３０を含み、このＣＰＵ３０には、バス３２を介して、ＲＡＭ３４、ＨＤＤ３６、描画制御回路３８、タッチパネル制御回路４０およびインターフェイス（Ｉ／Ｆ）回路４２が接続される。また、描画制御回路３８には送信部４８およびメインディスプレイ４４が接続され、タッチパネル制御回路４０にはタッチパネル４６が接続される。送信部４８は、電波または赤外線等による無線通信によって第１ネットワーク１６に接続する。
【００３４】
ＣＰＵ３０は、サーバ１２の全体的な制御を司る。ＲＡＭ３４は、ＣＰＵ３０のワーク領域およびバッファ領域として用いられる。ＨＤＤ３６は、サーバ１２の主記憶装置であり、任意のオペレーティングシステム（ＯＳ）がインストールされたり、任意のアプリケーションプログラムがインストールされたりする。また、ＨＤＤ３６には、たとえばインディスプレイ４４および表示装置１４に無線通信画像を表示させるための無線通信画像データなどの任意のデータが保存される。
【００３５】
描画制御回路３８は、ＧＰＵおよびＶＲＡＭなどを含んでおり、ＣＰＵ３０の指示の下、ＧＰＵは、ＲＡＭ３４に記憶された画像生成データなどを用いて無線通信画像データをＶＲＡＭに生成する。そして、描画制御回路３８は、生成した無線通信画像データをメインディスプレイ４４に表示させる。メインディスプレイ４４としては、たとえばＬＣＤまたはＥＬディスプレイなどを用いることができる。また、描画制御回路３８は、無線通信画像データを送信部４８へ送る。
【００３６】
送信部４８は、無線通信画像データを、第１ネットワーク１６を介して、表示装置１４ａ〜１４ｍの各々にたとえば無線で送信する。
【００３７】
送信部４８は、たとえば図４などに示すように、表示装置１４ａ〜１４ｍが同じ画像を表示する場合には、描画制御回路３８から送られる無線通信画像データをそのまま各表示装置１４ａ〜１４ｍの受信部７６（後述）へ送信すればよい。
【００３８】
しかしながら、たとえば図６で示すように表示装置１４ａ〜１４ｍが１つの画面の各部分を分割表示する場合には、送信部４８は、各表示装置１４ａ〜１４ｍに無線通信画像データを分割した個別の画像データ（分割画像データ）を送信する必要がある。したがって、送信部４８は、描画制御回路３８から送られる１つの無線通信画像データを各分割画像データに変換する機能を持つ必要がある。
【００３９】
ただし、描画制御回路３８にそのような変換機能を持たせることができる。この場合、描画制御回路３８が各分割画像データを送信部４８に送り、送信部４８では各分割画像データを対応する表示装置１４に送信するようにすればよい。
【００４０】
タッチパネル制御回路４０は、タッチパネル４６に必要な電圧などを付与するとともに、タッチパネル４６のタッチ有効範囲内でのタッチ操作（タッチ入力）を検出して、そのタッチ入力の位置を示すタッチ座標データをＣＰＵ３０に出力する。
【００４１】
タッチパネル４６は、汎用のタッチパネルであり、静電容量方式、電磁誘導方式、抵抗膜方式、赤外線方式など、任意の方式のものを用いることができる。
【００４２】
なお、サーバ１２には、タッチパネル４６以外の入力装置として、たとえば、ハードウェアのキーボード、コンピュータマウス、タッチパッド、ペンタブレットなどを接続することも可能である。
【００４３】
ただし、図２に示す電気的な構成は一例であり、限定されるべきではない。たとえば、サーバ１２には、ＲＯＭなどの他の不揮発性のメモリが設けられてもよい。
【００４４】
また、この第１実施例では、サーバ１２としてタブレット端末が用いられる。ただし、サーバ１２は、タブレット端末に限定されない。たとえば、サーバ１２としては、ノート型（ラップトップ）のコンピュータが用いられても良いし、メインディスプレイ４４を接続したデスクトップのコンピュータが用いられても良い。
【００４５】
図３に示すように、表示装置１４は、ＣＰＵ６０を含み、このＣＰＵ６０には、バス６２を介して、ＲＡＭ６４、描画制御回路６６、外部メモリ接続部６８、ＨＤＤ７０、操作部７２および通信部７４が接続される。また、描画制御回路６６にはディスプレイ７８および受信部７６が接続される。受信部７６は、電波または赤外線等による無線通信によって第１ネットワーク１６に接続する。そして、表示装置１４は、第１ネットワーク１６を介して、サーバ１２から送信された無線通信画像データを受信部７６で受信する。通信部７４は、無線通信または有線通信によって第２ネットワーク１８に接続する。
【００４６】
ＣＰＵ６０は、表示装置１４の全体的な制御を司る。たとえば、ＣＰＵ６０は、受信部７６での無線通信の状態（以下、「受信状態」という。）が正常状態または異常状態のいずれかを判定する判定手段としても機能する。具体的には、ＣＰＵ６０は、受信部７６における受信信号の信号強度（電波による場合は電界強度でもよい）を検出する。ＲＡＭ６４は、ＣＰＵ６０のワーク領域およびバッファ領域として用いられる。
【００４７】
描画制御回路６６は、ＧＰＵおよびＶＲＡＭなどを含んでおり、ＣＰＵ６０の指示の下、描画制御回路６６は、受信部７６で受信した無線通信画像データを用いてディスプレイ７８に画面を表示するための無線通信画像データをＶＲＡＭに生成する。そして、描画制御回路６６は、生成した無線通信画像データをディスプレイ７８に表示させる。また、ディスプレイ７８としては、たとえばＬＣＤまたはＥＬディスプレイなどを用いることができる。
【００４８】
外部メモリ接続部６８は、図示は省略するが、表示装置１４に設けられた外部メモリ装着部（コネクタまたはメモリスロットなど）に装着された各種の外部メモリ（ＳＤカード、ＵＳＢメモリまたはＨＤＤドライブなど）に接続される。この外部メモリ接続部６８には、無線通信画像データとは別の代替画像データが記憶されている。外部メモリは、たとえばＵＳＢメモリ、ＳＤカードのような汎用のメモリカード、メモリスティック、マルチメディアカード（登録商標）または外付けのＨＤＤのような記憶媒体である。
【００４９】
ＨＤＤ７０は、代替画像データを含む各種のデータを記憶したりするために使用される表示装置１４の主記憶装置である。なお、表示装置１４の主記憶装置としては、ＳＤＤ、フラッシュメモリ、ＥＥＰＲＯＭなどの他の記憶装置を用いることもできる。
【００５０】
なお、受信部７６で受信した無線通信画像データに従った無線通信画像を表示するとき以外に、ディスプレイ７８に画面を表示するための画像データとしては、代替画像データが用いられることもある。
【００５１】
操作部７２は、表示装置１４に設けられる各種の操作ボタン（操作キー）およびリモコン受信部であり、ユーザによる操作入力を受け付けたり、リモコン（図示せず）から送信されるリモコン信号（赤外線信号）を受信したりする。たとえば、操作部７２は、表示装置１４の電源をオンしたり、表示装置１４についての各種の情報を設定および変更（調整）したりする場合に使用される。各種の情報としては、輝度、明度、コントラスト、色温度、水平位置および垂直位置などが該当する。また、操作部７２は、後述する障害回避設定および代替画像設定を設定または変更する場合にも使用される。
【００５２】
ただし、図３に示す電気的な構成は一例であり、限定されるべきではない。
【００５３】
ここで、図４および図５を用いてマルチディスプレイ装置１０の動作を説明する。図４および図５では、１台のサーバ１２が４台の表示装置１４ａ〜１４ｄの各々に無線通信画像データを送信すると仮定する。一例として、表示装置１４ａ〜１４ｄが横一列に並べて配置される。また、表示装置１４ａ〜１４ｄのそれぞれには、サーバ１２から送信された無線通信画像データに従った無線通信画像が表示される。ただし、この第１実施例では、無線通信画像は、野球の画像である。
【００５４】
図４（Ａ）に示すように、表示装置１４ｂにおける無線通信画像データの受信状態が異常状態になったとき、表示装置１４ｂには、無線通信画像が表示されなくなる。なお、異常状態とは、無線通信の状態が悪い場合などに、無線通信画像データの受信ができなくなったりする状態である。このとき、表示装置１４ｂには、待機画面などが表示される。また、他の表示装置１４ａ、１４ｃおよび１４ｄには、無線通信画像が表示されたままである。
【００５５】
この場合、図４（Ｂ）に示すように、表示装置１４ｂは、ディスプレイ７８の表示を、無線通信画像とは別の、代替画像データに従った代替画像に切り換える。同様に、表示装置１４ａ、１４ｃおよび１４ｄの各々は、ディスプレイ７８の表示を代替画像に切り換える。ただし、この第１実施例では、図４（Ｂ）に示すように、代替画像は、サッカーの画像である。
【００５６】
ただし、表示装置１４ａ、１４ｃおよび１４ｄにおいて、表示装置１４ｂから送信される障害回避信号によってそのディスプレイ７８の表示が代替画像に切り換えられる。この障害回避信号は、表示装置１４ａ〜１４ｍのそれぞれの通信部７４によって第２ネットワーク１８を介して、送受信される。
【００５７】
また、この第１実施例では、代替画像データは、表示装置１４ａ〜１４ｄのそれぞれのＨＤＤ７０に記憶される。つまり、代替画像データは、表示装置１４ａ〜１４ｄのそれぞれに内蔵された画像データである。したがって、表示装置１４ａ〜１４ｄは、無線通信画像データの受信状態が異常状態になったとき、または障害回避信号を受信したときは、ＨＤＤ７０に記憶された代替画像データを読み出して、代替画像データに従った代替画像をディスプレイ７８に表示する。ただし、表示装置１４ａ〜１４ｄが同じ画像を表示する場合であって、ＨＤＤ７０に複数の画像データが記憶される場合には、障害回避信号には、そのうちどの画像データが代替画像データであるかを特定するための情報が含まれる。
【００５８】
図５（Ａ）に示すように、表示装置１４ｂにおける無線通信画像データの受信状態が正常状態になったとき、図５（Ｂ）に示すように、表示装置１４ｂは、ディスプレイ７８の表示を代替画像から無線通信画像に切り換える。なお、正常状態とは、無線通信によって無線通信画像データを正常に受信することができる状態である。同様に、表示装置１４ａ、１４ｃおよび１４ｄの各々は、ディスプレイ７８の表示を無線通信画像に切り換える。
【００５９】
ただし、表示装置１４ａ、１４ｃおよび１４ｄにおいて、表示装置１４ｂから送信される復旧信号によってそのディスプレイ７８の表示が無線通信画像に切り換えられる。この復旧信号は、第２ネットワーク１８を介して送信される。このようにすれば、表示装置１４ｂにおける無線通信画像データの受信状態が正常状態になったとき、全ての表示装置１４ａ〜１４ｄに無線通信画像が表示される。
【００６０】
次に、図６を用いて他の形態のマルチディスプレイ装置１０の動作を説明する。図６（Ａ）〜（Ｃ）に示すように、他の形態のマルチディスプレイ装置１０では、４台の表示装置１４ａ〜１４ｄが縦方向および横方向にそれぞれ２台ずつ並べられる。つまり、４台の表示装置１４が２×２で配列される。また、表示装置１４ａ〜１４ｄは、向かって左上から右方向であり、かつ上から下方向に向かう順番に配置される。
【００６１】
表示装置１４ａ〜１４ｄのそれぞれの位置（行数，列数）を説明すると、表示装置１４ａは置（１,１）に配置され、表示装置１４ｂは位置（１,２）に配置され、表示装置１４ｃは位置（２,１）に配置され、そして、表示装置１４ｄは位置（２,２）に配置される。また、表示装置１４ａ〜１４ｄの各々は、配列の情報として２×２を記憶するとともに、自身の位置の情報として（行数，列数）を記憶する。
【００６２】
そして、図６（Ａ）に示すように、表示装置１４ａ〜１４ｄに亘って無線通信画像が全画面表示される。このとき、サーバ１２は、表示装置１４ａ〜１４ｄのそれぞれに対応する分割画像データを送信する。ただし、分割画像データには、位置の情報（行数，列数）が含まれている。そして、サーバ１２は、分割画像データに含まれる位置の情報に従って、対応する表示装置１４に各分割画像データを送信する。
【００６３】
そして、図６（Ｂ）に示すように、位置（１,２）の表示装置１４ｂにおける無線通信画像データの受信状態が異常状態になったとき、この表示装置１４ｂには、無線通信画像が表示されなくなる。このとき、表示装置１４ａ、１４ｃおよび１４ｄには、無線通信画像が表示されたままであるので、画像の一部が表示されない状態になってしまう。
【００６４】
そこで、図６（Ｃ）に示すように、表示装置１４ｂは、ディスプレイ７８の表示を代替画像に切り換える。また、表示装置１４ａ、１４ｃおよび１４ｄの各々は、ディスプレイ７８の表示を代替画像に切り換える。ここでは、表示装置１４ａ〜１４ｄに亘って代替画像が全画面表示される。したがって、表示装置１４ａ〜１４ｄのそれぞれのディスプレイ７８には、自身の位置に対応する分割画像が表示される。また、表示装置１４ａ〜１４ｄのそれぞれのＨＤＤ７０には、分割画像に対応する分割画像データが記憶される。
【００６５】
なお、表示装置１４ａ〜１４ｄに亘って代替画像が全画面表示されるのではなく、表示装置１４ａ〜１４ｄのそれぞれに１つの代替画像が表示されるようにしてもよい。
【００６６】
また、図示は省略するが、表示装置１４ｂにおける無線通信画像データの受信状態が正常状態になったとき、表示装置１４ｂは、ディスプレイ７８の表示を無線通信画像に切り換える。同様に、表示装置１４ａ、１４ｃおよび１４ｄの各々は、ディスプレイ７８の表示を無線通信画像に切り換える。
【００６７】
マルチディスプレイ装置１０の上記のような動作は、表示装置１４ａ〜１４ｄのそれぞれのＣＰＵ６０がＲＡＭ６４に記憶された表示制御プログラムを実行することによって実現される。具体的な処理については、後でフロー図を用いて説明する。
【００６８】
図７に示すように、ＲＡＭ３４は、プログラム記憶領域３０２およびデータ記憶領域３０４を含む。プログラム記憶領域３０２には、上述したように、表示制御プログラムが記憶される。表示制御プログラムは、受信状態判定プログラム３０２ａ、表示切換プログラム３０２ｂおよび通信プログラム３０２ｃを含む。
【００６９】
受信状態判定プログラム３０２ａは、一定時間毎に受信部７６における無線通信の受信状態を取得し、受信状態が正常状態または異常状態のいずれかを判定するためのプログラムである。具体的には、受信状態判定プログラム３０２ａを実行するＣＰＵ６０は、受信部７６における受信信号の信号強度を検出して、信号強度が閾値を上回っているか否かを判定する。たとえば、受信状態判定プログラム３０２ａを実行するＣＰＵ６０は、そのとき検出した信号強度が閾値以上であれば、受信状態が正常状態であると判定し、検出した信号強度が閾値未満であれば、受信状態が異常状態であると判定する。また、受信状態判定プログラム３０２ａは、一定時間毎に判定した状態を、後述するデータ記憶領域３０４の受信状態データ３０４ａとして時系列に従って記憶するためのプログラムでもある。
【００７０】
表示切換プログラム３０２ｂは、受信状態判定プログラム３０２ａによって受信状態が正常状態から異常状態に変化したと判定されたとき、後述する障害回避設定データ３０４ｃが示す障害回避設定に従って、ディスプレイ７８に表示する画像の切り換えを行うためのプログラムである。具体的には、表示切換プログラム３０２ｂを実行するＣＰＵ６０は、障害回避設定が無線通信画像に代えて代替画像を表示する設定になっている場合は、さらに、後述する代替画像設定データ３０４ｄを読み出す。そして、表示切換プログラム３０２ｂを実行するＣＰＵ６０は、代替画像設定データ３０４ｄが示す代替画像設定に従って、後述する表示状態データ３０４ｂの現在の入力モードを更新する。したがって、表示状態データ３０４ｂの現在の入力モードは、代替画像を表示するモードに更新される。
【００７１】
また、表示切換プログラム３０２ｂは、受信状態判定プログラム３０２ａによって受信状態が異常状態から正常状態に変化したと判定されたとき、表示状態データ３０４ｂの入力モードを元の入力モードに戻すためのプログラムでもある。この第１実施例では、元の入力モードは、無線通信画像を表示するモードである。
【００７２】
通信プログラム３０２ｃは、通信部７４で他の表示装置１４と通信するためのプログラムである。また、通信プログラム３０２ｃは、受信状態判定プログラム３０２ａによって受信状態が正常状態から異常状態に変化したと判定されたとき、上述した障害回避設定に従って、他の表示装置１４に同じ処理をさせるための信号を送信するためのプログラムである。具体的には、通信プログラム３０２ｃを実行するＣＰＵ６０は、障害回避設定が、無線通信画像に代えて代替画像を表示する設定になっている場合は、上述した代替画像設定に従って、他の表示装置１４での現在の入力モードを、代替画像を表示するモードに更新するための障害回避信号を送信する。また、通信プログラム３０２ｃは、受信状態判定プログラム３０２ａによって受信状態が異常状態から正常状態に変化したと判定されたとき、他の表示装置１４での現在の入力モードを元の入力モードに戻すための復旧信号を送信するためのプログラムでもある。
【００７３】
なお、図示は省略するが、プログラム記憶領域３０２には、各種の機能またはアクションを選択および実行するためのプログラム、または他のアプリケーションプログラムなども記憶される。
【００７４】
データ記憶領域３０４には、受信状態データ３０４ａ、表示状態データ３０４ｂ、障害回避設定データ３０４ｃおよび代替画像設定データ３０４ｄなどが記憶される。
【００７５】
受信状態データ３０４ａは、受信状態判定プログラム３０２ａによって判定された受信状態を示すデータである。上述したように、受信状態は一定時間毎に判定される。そして、受信状態データ３０４ａは、判定された時間毎に時系列に従って所定時間分記憶される。
【００７６】
表示状態データ３０４ｂは、現在または元の表示状態（入力モード）を示すデータである。元の入力モードとは、現在の入力モードに切り換わる直前の入力モードのことである。
【００７７】
障害回避設定データ３０４ｃは、受信状態判定プログラム３０２ａによって受信状態が変化したと判定された場合に行われる障害回避処理の種類を決定するための障害回避設定を示すデータである。第１実施例では、障害回避設定は、無線通信画像に代えて代替画像を表示するように設定される。また、全ての表示装置１４のデータ記憶領域３０４には、同じ障害回避設定データ３０４ｃが記憶される。
【００７８】
代替画像設定データ３０４ｄは、障害回避設定が、無線通信画像に代えて代替画像を表示する設定になっている場合に、ディスプレイ７８に表示する代替画像の種類を決定するための代替画像設定を示すデータである。上述したように第１実施例では、代替画像としては、ＨＤＤ７０に記憶された内蔵画像が選択される。なお、代替画像として、外部メモリに記憶された他の画像データ従った画像など、ユーザ指定の他の代替画像が選択されてもよい。また、全ての表示装置１４のデータ記憶領域３０４には、同じ代替画像設定データ３０４ｄが記憶される。さらに、代替画像設定は、ユーザによって操作部７２が操作されることによって、新たに設定されたり、設定が変更されたりする。
【００７９】
なお、図示は省略するが、データ記憶領域３０４には、キーボードまたは操作パネルからの操作データなど、表示制御プログラムの実行に必要な他のデータが記憶されたり、表示制御プログラムの実行に必要なタイマ（カウンタ）またはレジスタが設けられたりする。
【００８０】
マルチディスプレイ装置１０が起動されると、複数の表示装置１４のそれぞれにおいて、全体処理が開始される。なお、この全体処理は、一例として、フレーム速度で実行されるものとする。全体処理が開始されると、図８に示すように、ＣＰＵ６０は、ステップＳ１で、受信状態判定プログラム３０２ａに従って受信状態を取得する。そして、ステップＳ３で、ステップＳ１で取得した時間の受信状態に対応する受信状態データ３０４ａを記憶する。上述したように、受信状態データ３０４ａは、時系列に従って所定時間分記憶される。
【００８１】
次にステップＳ５で、受信状態が変化したか否かを判断する。具体的には、受信状態データ３０４ａのうち、ステップＳ３で記憶された最新のデータと、所定時間前のデータとを比較して、受信状態が変化したか否かを判断する。なお、受信状態データ３０４ａのうち、最新のデータと比較するデータを、どの程度前のデータとするかは、ユーザが予め設定できるようにしていてもよい。
【００８２】
ステップＳ５で“ＹＥＳ”であれば、つまり、受信状態が変化した場合は、ステップＳ７で、正常状態から異常状態に変化したかどうかを判断する。
【００８３】
ステップＳ７で“ＹＥＳ”であれば、つまり、正常状態から異常状態に変化した場合は、ステップＳ９で、後述する障害回避処理（図９参照）を実行して、ステップＳ１に戻る。一方、ステップＳ７で“ＮＯ”であれば、つまり、異常状態から正常状態に変化した場合は、ステップＳ１１で、後述する復旧処理（図１０参照）を実行して、ステップＳ１に戻る。
【００８４】
また、ステップＳ５で“ＮＯ”であれば、つまり、受信状態が変化していない場合は、ステップＳ１３で、他の表示装置１４から送信された障害回避信号を受信したか否かを判断する。
【００８５】
ステップＳ１３で“ＹＥＳ”であれば、つまり、障害回避信号を受信した場合は、ステップＳ１５で、後述する第１受信処理（図１１参照）を実行して、ステップＳ１に戻る。一方、ステップＳ１３で“ＮＯ”であれば、つまり、障害回避信号を受信しない場合は、ステップＳ１７で他の表示装置１４から送信された復旧信号を受信したか否かを判断する。
【００８６】
ステップＳ１７で“ＹＥＳ”であれば、つまり、復旧信号を受信した場合は、ステップＳ１９で、後述する第２受信処理（図１２参照）を実行して、ステップＳ１に戻る。一方、ステップＳ１７で“ＮＯ”であれば、つまり、復旧信号を受信しない場合は、そのままステップＳ１に戻る。
【００８７】
次に、第１実施例の障害回避処理について説明する。この障害回避処理は、受信状態が正常状態から異常状態に変化した場合に、ディスプレイ７８の表示を代替画像に切り換えるとともに、他の表示装置１４がディスプレイ７８の表示を代替画像に切り換えるための処理である。
【００８８】
図９に示すように、ＣＰＵ６０は、障害回避処理を開始すると、ステップＳ３１で障害回避設定を読み出す。たとえば、上述したように、障害回避設定は代替画像を表示するように設定されている。
【００８９】
次に、ステップＳ３３で、代替画像設定を読み出す。そして、ステップＳ３５で、代替画像が内蔵画像に設定されているか否かを判断する。ここでは、ＣＰＵ６０は、代替画像の種類（入力モード）として、内蔵画像を表示するモードが選択されるか否かを判断する。
【００９０】
ステップＳ３５で“ＹＥＳ”であれば、つまり代替画像として内蔵画像が選択される場合は、ステップＳ３７で、表示状態データ３０４ｂの元の入力モードに無線通信画像を表示するモードを保存する。次に、ステップＳ３９で、表示状態データ３０４ｂの現在の入力モードに内蔵画像を表示するモードを保存する。
【００９１】
次に、ステップＳ４１で、他の表示装置１４に対し、現在の入力モードを、内蔵画像を表示するモードに切換える障害回避信号を送信する。そして、ステップＳ４３で、表示状態データ３０４ｂの現在の入力モードに従って、ディスプレイ７８の表示を、内蔵画像を表示するモードに切り換え、図８に示した全体処理にリターンする。
【００９２】
一方、ステップＳ３５で“ＮＯ”であれば、つまり代替画像として内蔵画像以外の画像が選択される場合は、ステップＳ４５で、ユーザが指定した代替画像の入力モードを読み出す。たとえば、代替画像の入力モードとして、外部メモリに記憶された画像データに従った画像（外部入力画像）が選択されることが考えられる。そして、ステップＳ４７で、表示状態データ３０４ｂの元の入力モードに無線通信画像を表示するモードを保存する。
【００９３】
次に、ステップＳ４９で、表示状態データ３０４ｂの現在の入力モードにユーザ指定の入力モード、たとえば外部入力画像を表示するモードを保存する。
【００９４】
次に、ステップＳ５１で、他の表示装置１４に対し、現在の入力モードをユーザ指定の入力モードに切換える障害回避信号を送信する。そして、ステップＳ５３で、表示状態データ３０４ｂの現在の入力モードに従って、ディスプレイ７８の表示をユーザ指定の入力モードの画像に切り換え、図８に示した全体処理にリターンする。
【００９５】
次に、第１実施例の復旧処理について説明する。この復旧処理は、受信状態が異常状態から正常状態に変化した場合に、ディスプレイ７８の表示を無線通信画像に切り換えるとともに、他の表示装置１４がディスプレイ７８の表示を無線通信画像に切り換えるための処理である。
【００９６】
図１０に示すように、ＣＰＵ６０は、復旧処理を開始すると、ステップＳ７１で、表示状態データ３０４ｂの元の入力モードを読み出す。たとえば、元の入力モードとして、無線通信画像を表示するモードが読み出される。
【００９７】
次に、ステップＳ７３で、元の入力モードが無線通信画像を表示するモードか否かを判断する。ステップＳ７３で“ＮＯ”であれば、つまり元の入力モードが無線通信画像を表示するモードでない場合は、そのまま図８に示した全体処理にリターンする。
【００９８】
ステップＳ７３で“ＹＥＳ”であれば、つまり元の入力モードが無線通信画像を表示するモードである場合は、ステップＳ７５で、表示状態データ３０４ｂの元の入力モードに現在の入力モードを保存する。たとえば、現在の入力モードが内蔵画像を表示するモードである場合は、表示状態データ３０４ｂの元の入力モードに内蔵画像を表示するモードを保存する。次に、ステップＳ７７で、表示状態データ３０４ｂの現在の入力モードとして、無線通信画像を表示するモードを保存する。
【００９９】
次に、ステップＳ７９で、他の表示装置１４に対し、現在の入力モードを、無線通信画像を表示するモードに切換える復旧信号を送信する。そして、ステップＳ８１で、表示状態データ３０４ｂの現在の入力モードに従って、ディスプレイ７８の表示を無線通信画像に切り換え、図８に示した全体処理にリターンする。
【０１００】
次に、第１実施例の第１受信処理について説明する。この第１受信処理は、他の表示装置１４から送信された障害回避信号を受信した場合に、ディスプレイ７８の表示を代替画像に切り換えるための処理である。
【０１０１】
図１１に示すように、ＣＰＵ６０は、第１受信処理を開始すると、ステップＳ９１で、障害回避信号によって指定される入力モードを取得する。たとえば、現在の入力モードを内蔵画像に切換える障害回避信号を受信した場合は、指定される入力モードは内蔵画像を表示するモードである。
【０１０２】
次に、ステップＳ９３で、指定される入力モードが内蔵画像を表示するモードか否かを判断する。
【０１０３】
ステップＳ９３で“ＹＥＳ”であれば、つまり指定される入力モードが内蔵画像を表示するモードであれば、ステップＳ９５で、表示状態データ３０４ｂの元の入力モードに無線通信画像を表示するモードを保存する。次に、ステップＳ９７で、表示状態データ３０４ｂの現在の入力モードに内蔵画像を表示するモードを保存する。そして、ステップＳ９９で、表示状態データ３０４ｂの現在の入力モードに従って、ディスプレイ７８の表示を内蔵画像に切り換え、図８に示した全体処理にリターンする。
【０１０４】
一方、ステップＳ９３で“ＮＯ”であれば、つまり指定される入力モードが内蔵画像を表示するモードでない場合は、ステップＳ１０１で、ユーザ指定の入力モードを読み出す。そして、ステップＳ１０３で、表示状態データ３０４ｂの元の入力モードに無線通信画像を表示するモードを保存する。
【０１０５】
次に、ステップＳ１０５で、表示状態データ３０４ｂの現在の入力モードにユーザ指定の入力モードを保存する。そして、ステップＳ１０７で、表示状態データ３０４ｂの現在の入力モードに従って、ディスプレイ７８の表示をユーザ指定の入力モードの画像に切り換え、図８に示した全体処理にリターンする。
【０１０６】
次に、第１実施例の第２受信処理について説明する。この第２受信処理は、他の表示装置１４から送信された復旧信号を受信した場合に、ディスプレイ７８の表示を無線通信画像に切り換えるための処理である。
【０１０７】
図１２に示すように、ＣＰＵ６０は、第２受信処理を開始すると、ステップＳ１３１で、復旧信号によって指定される入力モードを取得する。たとえば、現在の入力モードを無線通信画像に切換える復旧信号を受信した場合は、指定される入力モードは無線通信画像を表示するモードである。
【０１０８】
次に、ステップＳ１３３で、指定される入力モードが無線通信画像を表示するモードか否かを判断する。ステップＳ１３３で“ＮＯ”であれば、つまり元の入力モードが無線通信画像を表示するモードでない場合は、そのまま図８に示した全体処理にリターンする。
【０１０９】
ステップＳ１３３で“ＹＥＳ”であれば、つまり指定される入力モードが無線通信画像を表示するモードであれば、ステップＳ１３５で、表示状態データ３０４ｂの元の入力モードに現在の入力モードを保存する。次に、ステップＳ１３７で、表示状態データ３０４ｂの現在の入力モードに無線通信画像を表示するモードを保存する。そして、ステップＳ１３９で、表示状態データ３０４ｂの現在の入力モードに従って、ディスプレイ７８の表示を無線通信画像に切り換え、図８に示した全体処理にリターンする。
【０１１０】
なお、第１実施例では、表示装置１４での受信状態に応じて画像データを切り換える例について説明したが、無線通信画像または代替画像が音声を含む動画などである場合は、画像データに合わせて、音声データの入力モードを切り換えるようにしてもよい。
【０１１１】
また、第１実施例では、いずれかの表示装置１４での受信状態が正常状態から異常状態に変化したと判定されたとき、全ての表示装置１４のディスプレイ７８の表示を同じ代替画像に切り換えるようにしたが、複数の表示装置１４の各々で異なる画像を表示するようにしてもよい。
【０１１２】
この第１実施例によれば、表示装置１４は、受信状態が正常状態から異常状態に変化したと判定されたとき、無線通信画像をディスプレイ７８に表示しないようにするとともに、他の表示装置１４が無線通信画像をディスプレイ７８に表示しないようにする。このようにすれば、表示品質が低下していない表示装置１４と、表示品質が低下している表示装置１４とがマルチディスプレイ装置１０の中で混在することがない。したがって、無線通信での画像データの送受信が停止した場合でも、視聴者に違和感を与えることを防止できる。
【０１１３】
また、第１実施例によれば、表示装置１４は、受信状態が異常状態から正常状態に変化したとき、つまり、無線通信での画像データの送受信が復旧したとき、全ての表示装置において無線通信画像を表示することができ、視聴者に違和感を与えることがない。
【０１１４】
さらに、第１実施例によれば、表示装置１４は、受信状態が正常状態から異常状態に変化したとき、代替画像をディスプレイ７８に表示させるとともに、当該代替画像を他の表示装置１４のディスプレイ７８に表示させる。このようにすれば、無線通信での画像データの送受信が停止した場合でも、全ての表示装置において代替画像を表示することができ、視聴者に違和感を与えることを防止できる。
【０１１５】
さらにまた、第１実施例によれば、代替画像は、複数の表示装置１４のそれぞれに予め記憶されるので、当該代替画像を他の表示装置１４のディスプレイ７８に表示させる場合、当該代替画像を表示させるための信号を他の表示装置１４に送るだけで済み、通信部７４の負荷を低減させることができる。
［第２実施例］
第２実施例のマルチディスプレイ装置１０は、表示装置１４での受信状態が正常状態から異常状態に変化したとき、画像をディスプレイ７８に表示しないようにする省電力モードに切り換えるとともに、他の表示装置１４においても画像をディスプレイ７８に表示しないようにする省電力モードに切り換えるようにした以外は、第１実施例のマルチディスプレイ装置１０と同じであるため、第１実施例と異なる内容について説明し、重複した説明については省略する。
【０１１６】
まず、図示は省略するが、表示装置１４ｂにおける無線通信画像データの受信状態が正常状態のとき、表示装置１４ａ〜１４ｄの各々には、無線通信画像が表示される。第２実施例では、この状態を通常モードとする。
【０１１７】
図１３（Ａ）に示すように、表示装置１４ｂにおける無線通信画像データの受信状態が異常状態になったとき、表示装置１４ｂには、無線通信画像が表示されなくなる。
【０１１８】
このとき、図１３（Ｂ）に示すように、表示装置１４ｂは、画像をディスプレイ７８に表示しないようにする省電力モードに切り換える。同様に、表示装置１４ａ、１４ｃおよび１４ｄの各々は、省電力モードに切り換える。ただし、後述するように、表示装置１４ａ、１４ｃおよび１４ｄは、表示装置１４ｂから送信される障害回避信号によって省電力モードに切り換えられる。
【０１１９】
省電力モードとは、所謂スリープの状態のような、最低限の電力で駆動するモードである。具体的には、省電力モードは、ディスプレイ７８のバックライトが消灯され、ディスプレイ７８には画像が表示されない状態である。ただし、表示装置１４ａ〜１４ｄの各々は、省電力モードであっても継続して受信状態が正常状態または異常状態のいずれかを判定し続ける。
【０１２０】
また、図示は省略するが、表示装置１４ｂにおける無線通信画像データの受信状態が正常状態になったとき、表示装置１４ｂは、通常モードに切り換える。同様に、表示装置１４ａ、１４ｃおよび１４ｄの各々は、通常モードに切り換える。ただし、後述するように、表示装置１４ａ、１４ｃおよび１４ｄは、表示装置１４ｂから送信される復旧信号によって通常モードに切り換えられる。
【０１２１】
また、第２実施例では、表示装置１４ａ〜１４ｄのそれぞれのＲＡＭ６４のデータ記憶領域３０４には、電源状態データが記憶される。
【０１２２】
電源状態データは、現在または元の電源状態（電源モード）を示すデータである。元の電源モードとは、現在の電源モードに切り換わる直前の電源モードのことである。
【０１２３】
以下、フロー図を用いて、第２実施例におけるＣＰＵ６０の障害回避処理、復旧処理、第１受信処理および第２受信処理について説明するが、第１実施例で説明した各処理と同じ処理については同じ参照符号を付し、重複した内容については、説明を省略するまたは簡単に説明することにする。なお、全体処理は、第１実施例と同じであるため、重複した説明は省略する。
【０１２４】
まず、第１実施例の障害回避処理について説明する。この障害回避処理は、受信状態が正常状態から異常状態に変化した場合に、省電力モードに切り換えるとともに、他の表示装置１４を省電力モードに切り換えるための処理である。
【０１２５】
図１４に示すように、ＣＰＵ６０は、障害回避処理を開始すると、ステップＳ１５１で、障害回避設定を読み出す。
【０１２６】
次に、ステップＳ１５３で、障害回避設定が電源モードの切り換えを行う設定になっているか否かを判断する。
【０１２７】
ステップＳ１５３で“ＮＯ”であれば、つまり障害回避設定が電源モードの切り換えを行う設定になっていない場合、たとえば、代替画像を表示する場合などは、第１実施例で説明したステップＳ３３に進む。
【０１２８】
一方、ステップＳ１５３で“ＹＥＳ”であれば、つまり障害回避設定が電源モードの切り換えを行う設定になっている場合は、ステップＳ１５５で、電源状態データの元の電源モードに通常モードを保存する。
【０１２９】
次に、ステップＳ１５７で、電源状態データの現在の電源モードに省電力モードを保存する。さらに、ステップＳ１５９で、他の表示装置１４に対し、現在の電源モードを電力モードに切換える障害回避信号を送信する。そして、ステップＳ１６１で、電源状態データの現在の電源モードに従って、省電力モードに切り換え、図８に示した全体処理にリターンする。
【０１３０】
次に、第２実施例の復旧処理について説明する。この復旧処理は、受信状態が異常状態から正常状態に変化した場合に、通常モードに切り換えるとともに、他の表示装置１４を通常モードに切り換えるための処理である。
【０１３１】
図１５に示すように、ＣＰＵ６０は、復旧処理を開始すると、ステップＳ１７１で、電源状態データの元の電源モードを読み出す。ここでは、電源状態データの元の電源モードとして、通常モードが読み出される。
【０１３２】
次に、ステップＳ１７３で、電源状態データの元の電源モードに現在の電源モードを保存する。ここでは、現在の電源モードとして、省電力モードが保存される。
【０１３３】
次に、ステップＳ１７５で、電源状態データの現在の電源モードに通常モードを保存する。さらに、ステップＳ１７７で、他の表示装置１４に対し、現在の電源モードを通常モードに切換える障害回避信号を送信する。そして、ステップＳ１７９で、電源状態データの現在の電源モードに従って通常モードに切り換え、図８に示した全体処理にリターンする。
【０１３４】
次に、第２実施例の第１受信処理について説明する。この第１受信処理は、他の表示装置１４から送信された障害回避信号を受信した場合に、省電力モードに切り換えるための処理である。
【０１３５】
図１６に示すように、ＣＰＵ６０は、第１受信処理を開始すると、ステップＳ１９１で、障害回避信号によって指定される電源モードを取得する。ここでは、障害回避信号によって指定される電源モードは、省電力モードである。
【０１３６】
次に、ステップＳ１９３で、電源状態データの元の電源モードに現在の電源モードを保存する。ここでは、現在の電源モードとして、通常モードが保存される。
【０１３７】
次に、ステップＳ１９５で、電源状態データの現在の電源モードに省電力モードを保存する。そして、ステップＳ１９７で、電源状態データの現在の電源モードに従って、省電力モードに切り換え、図８に示した全体処理にリターンする。
【０１３８】
次に、第２実施例の第２受信処理について説明する。この第２受信処理は、他の表示装置１４から送信された復旧信号を受信した場合に、省電力モードに切り換えるための処理である。
【０１３９】
図１７に示すように、ＣＰＵ６０は、第２受信処理を開始すると、ステップＳ２１１で、復旧信号によって指定される電源モードを取得する。ここでは、復旧信号によって指定される電源モードは、通常モードである。
【０１４０】
次に、ステップＳ２１３で、電源状態データの元の電源モードに現在の電源モードを保存する。ここでは、現在の電源モードとして、省電力モードが保存される。
【０１４１】
次に、ステップＳ２１５で、電源状態データの現在の電源モードに通常モードを保存する。そして、ステップＳ２１７で、電源状態データの現在の電源モードに従って、通常モードに切り換え、図８に示した全体処理にリターンする。
【０１４２】
この第２実施例によれば、表示装置１４は、受信状態が正常状態から異常状態に変化した場合、画像をディスプレイ７８に表示しないようにし、他の表示装置１４が画像をディスプレイ７８に表示しないようにする。このようにすれば、表示品質が低下していない表示装置１４と、表示品質が低下している表示装置１４とがマルチディスプレイ装置１０の中で混在することがない。
［第３実施例］
第３実施例のマルチディスプレイ装置１０は、復旧信号を受信し、かつ受信状態が異常状態であると判定された場合、ディスプレイ７８に無線通信画像を表示しないようにするとともに、他の表示装置１４がディスプレイ７８に無線通信画像を表示しないようにするようにした以外は、第１実施例のマルチディスプレイ装置１０と同じであるため、第１実施例と異なる内容について説明し、重複した説明については省略する。
【０１４３】
図１８（Ａ）に示すように、表示装置１４ｂおよび表示装置１４ｃにおける無線通信画像データの受信状態が異常状態になったとき、表示装置１４ｂおよび表示装置１４ｃには無線通信画像が表示されなくなる。
【０１４４】
このとき、図１８（Ｂ）に示すように、表示装置１４ｂおよび表示装置１４ｃは、ディスプレイ７８の表示を代替画像に切り換える。同様に、表示装置１４ａおよび表示装置１４ｄは、ディスプレイ７８の表示を代替画像に切り換える。なお、表示装置１４ａおよび１４ｄにおいて、表示装置１４ｂまたは表示装置１４から送信された障害回避信号のうち、先に受信した障害回避信号によって、ディスプレイ７８の表示が代替画像に切り換える。
【０１４５】
この第３実施例では、図１９（Ａ）に示すように、表示装置１４ｂにおける無線通信画像データの受信状態が正常状態になったとき、表示装置１４ｂは、ディスプレイ７８の表示を無線通信画像に切り換えようとする。また、表示装置１４ｂは、表示装置１４ａ、１４ｃおよび１４ｄの各々に対して復旧信号を送信する。
【０１４６】
しかしながら、表示装置１４ｃでは、無線通信画像データの受信状態が異常状態のままである。したがって、表示装置１４ｃは、表示装置１４ｂから送信された復旧信号を受信した場合、表示装置１４ａ、１４ｂおよび１４ｄの各々に対して再度障害回避信号を送信する。これによって、表示装置１４ａ、１４ｂおよび１４ｄは、表示装置１４ｃから再度送信された障害回避信号に従って、ディスプレイ７８に代替画像を表示する。
【０１４７】
そして、図１９（Ｂ）に示すように、表示装置１４ｃにおける無線通信画像データの受信状態が正常状態になったとき、表示装置１４ｃは、ディスプレイ７８の表示を無線通信画像に切り換える。また、表示装置１４ｃは、表示装置１４ａ、１４ｂおよび１４ｄの各々に対して復旧信号を送信する。このとき、図１９（Ｃ）に示すように、全ての表示装置１４で受信状態が正常状態になったので、表示装置１４ａ〜１４ｄの各々のディスプレイ７８には無線通信画像が表示される。
【０１４８】
以下、フロー図を用いて、第３実施例におけるＣＰＵ６０の第２受信処理について説明するが、ステップＳ１３１〜Ｓ１３９の処理は、第１実施例と同じあるため、重複した内容については、説明を省略する。なお、全体処理、障害回避処理、第１受信処理は、第１実施例と同じであるため、重複した説明は省略する。
【０１４９】
第３実施例の第２受信処理について説明する。図２０に示すように、ＣＰＵ６０は、第２受信処理を開始すると、ステップＳ２３１で、受信状態を取得する。次に、ステップＳ２３３で、受信状態が異常状態か否かを判断する。具体的には、ステップＳ２３１で取得された受信状態データ３０４ａが異常状態を示すか否かを判断する。
【０１５０】
ステップＳ２３３で“ＮＯ”であれば、つまり受信状態が正常状態である場合は、ステップＳ１３１に進み、指定された入力モードを取得する。一方、ステップＳ２３３で“ＹＥＳ”であれば、つまり受信状態が異常状態である場合は、ステップＳ１３の障害回避処理に進む。
【０１５１】
この第３実施例によれば、表示装置１４は、他の表示装置１４から送信された復旧信号を受信した場合であっても、受信状態が異常状態である場合に、ディスプレイ７８に無線通信画像を表示しないようにするとともに、他の表示装置１４がディスプレイ７８に無線通信画像を表示しないようにする。このようにすれば、表示品質が低下していない表示装置１４と、表示品質が低下している表示装置１４とがマルチディスプレイ装置１０の中で混在することがない。
【０１５２】
なお、第３実施例に示した態様は、第２実施例にも組み合わせて採用することが可能である。
【０１５３】
また、上述の実施例で挙げた具体的な数値、画面構成等は一例であり、実際の製品に応じて適宜変更することが可能である。
【０１５４】
さらに、上述の実施例で示したフロー図の各ステップは、同じ結果が得られるのであれば、処理される順番は適宜変更することが可能である。
【符号の説明】
【０１５５】
１０  …マルチディスプレイ装置
１２  …サーバ
１４  …表示装置
６０  …ＣＰＵ
【図１】
0006539529.tif 000002
【図２】
0006539529.tif 000003
【図３】
0006539529.tif 000004
【図４】
0006539529.tif 000005
【図５】
0006539529.tif 000006
【図６】
0006539529.tif 000007
【図７】
0006539529.tif 000008
【図８】
0006539529.tif 000009
【図９】
0006539529.tif 000010
【図１０】
0006539529.tif 000011
【図１１】
0006539529.tif 000012
【図１２】
0006539529.tif 000013
【図１３】
0006539529.tif 000014
【図１４】
0006539529.tif 000015
【図１５】
0006539529.tif 000016
【図１６】
0006539529.tif 000017
【図１７】
0006539529.tif 000018
【図１８】
0006539529.tif 000019
【図１９】
0006539529.tif 000020
【図２０】
0006539529.tif 000021